(57)【特許請求の範囲】
【請求項１】
上側ケースと、この上側ケースの下に組み付けられてフィルタを収納する下側ケースとを有し、前記上側ケース及び前記下側ケースの一方側の端部同士が回転連結部で回転自在に連結されるエアクリーナ構造であって、
前記上側ケースには、前記回転連結部が連結される端部とは反対側に位置する第１の壁に、ワイヤーハーネスを固定するための第１の取付孔を有し、前記上側ケースを前記回転連結部で回転させる際に把持される取っ手部が設けられ、
前記第１の壁と前記回転連結部との間に配置され前記第１の壁に交差する第２の壁に、前記ワイヤーハーネスを固定するための第２の取付孔を有する取付部が設けられ、
前記ワイヤーハーネスは、前記上側ケースと下側ケースの境界よりも上方に配索されることを特徴とするエアクリーナ構造。
【発明の詳細な説明】
【技術分野】
【０００１】
この発明はエアクリーナ構造に係り、特に、開閉作業性の向上とワイヤーハーネス配索の最適化を図ったエアクリーナ構造に関する。
【背景技術】
【０００２】
エンジンの吸気を浄化するエアクリーナには、内蔵するフィルタを交換するための開閉可能な構造として、例えば、上側ケースと、この上側ケースの下に組み付けられてフィルタを収納する下側ケースとを有し、上側ケース及び下側ケースの一方側に位置する各壁の端部同士が回転連結部で回転自在に連結される構造となっているものがある。
また、エアクリーナには、エンジンの制御を行う制御ユニットを取り付け、制御ユニットに接続されるワイヤーハーネスを固定するために、エアクリーナの外壁に設けた取付孔と、取付孔に係止され、ワイヤーハーネスを保持するクランプ部材と、を有する固定手段を備えるものがある（特許文献１）。
【先行技術文献】
【特許文献】
【０００３】
【特許文献１】特開２００７−１８２８６１号公報
【発明の概要】
【発明が解決しようとする課題】
【０００４】
ところで、エアクリーナ内のフィルタを交換する場合、作業者は、上側ケースの回転連結部が連結される端部と反対側に位置する壁を手でつかみ、回転連結部を中心に上側ケース部の反対側を回転させて持ち上げることでエアクリーナを開き、交換を行っている。
しかし、エアクリーナは、開閉のためのつかむ形状を備えていないため、開閉作業性が悪い問題がある。また、エアクリーナは、エンジンの上部に他のエンジン補機に隣接して配置され、電子機器に接続されるワイヤーハーネスが配索されることから、作業スペースの確保が難しく、無理な姿勢で作業を行うことになるため、さらに開閉作業性が悪くなる問題がある。
【０００５】
この発明は、エアクリーナの開閉作業性の向上と、ワイヤーハーネス配索の最適化を図ることを目的とする。
【課題を解決するための手段】
【０００６】
この発明は、上側ケースと、この上側ケースの下に組み付けられてフィルタを収納する下側ケースとを有し、前記上側ケース及び前記下側ケースの一方側の端部同士が回転連結部で回転自在に連結されるエアクリーナ構造であって、前記上側ケースには、前記回転連結部が連結される端部とは反対側に位置する第１の壁に、ワイヤーハーネスを固定するための第１の取付孔を有し、前記上側ケースを前記回転連結部で回転させる際に把持される取っ手部が設けられ、前記第１の壁と前記回転連結部との間に配置され前記第１の壁に交差する第２の壁に、前記ワイヤーハーネスを固定するための第２の取付孔を有する取付部が設けられ、前記ワイヤーハーネスは、前記上側ケースと下側ケースの境界よりも上方に配索されることを特徴とする。
【発明の効果】
【０００７】
この発明は、エアクリーナの上側ケースに取っ手部を設けたことにより、エアクリーナの開閉作業を容易に行うことができる。このため、エアクリーナの開閉作業性を向上することができる。
また、この発明は、取っ手部にワイヤーハーネスを固定する取付孔を設けたことにより、エアクリーナにワイヤーハーネスを固定することができる。このため、エアクリーナ周辺のワイヤーハーネス配索の最適化が可能になる。
【図面の簡単な説明】
【０００８】
【図１】図１はエアクリーナの平面図である。（実施例）
【図２】図２はワイヤーハーネスを外したエアクリーナの平面図である。（実施例）
【図３】図３は上側ケースを開いたエアクリーナの斜視図である。（実施例）
【発明を実施するための形態】
【０００９】
以下、図面に基づいてこの発明の実施例を説明する。
【実施例】
【００１０】
図１〜図３は、この発明の実施例を示すものである。図１〜図３において、車両などに搭載されるエンジンの吸気を浄化するエアクリーナ１は、上側ケース２と、この上側ケース２の下に組み付けられる下側ケース３と、を有している。下側ケース３には、フィルタ４を収納する。
上側ケース２は、幅方向において一方側に位置する壁５と、幅方向において反対の他方側に壁５と対向して位置する壁６と、長手方向において一方側に位置する壁７と、長手方向において他方側に壁７と対向して位置する壁８と、これら各壁５〜８の上側に位置する壁９とによって、平面視において略長四角形状で、有蓋無底箱形状に形成されている。
上側ケース２は、幅方向において一方側に位置する壁５の長手方向の一方側に、吸気の出口部１０を有している。出口部１０には、空気量センサなどの電子機器１１が取り付けられている。電子機器１１は、ワイヤーハーネス１２により制御機器に接続される。
【００１１】
下側ケース３は、幅方向において一方側に位置する壁１３と、幅方向において反対の他方側に壁１３と対向して位置する壁１４と、長手方向において一方側に位置する壁１５と、長手方向において他方側に壁１５と対向して位置する壁１６と、これら各壁１３〜１６の下側に位置する壁１７とによって、平面視において略長四角形状で、無蓋有底箱形状に形成されている。
下側ケース３は、長手方向において一方側に位置する壁１５の上下方向の下方側に、吸気の入口部１８を有している。下側ケース３は、エンジンに取り付けるための取付部１９を備え、内部にフィルタ４が収納される。
【００１２】
上側ケース２及び下側ケース３は、それぞれ幅方向において一方側に位置する各壁５・１３の端部同士を回転連結部２０によって回転自在に連結される。
上側ケース２は、幅方向において他方側に位置する壁６の端部に一対の係止部２１を備える。一対の係止部２１は、それぞれ壁６の端部の長手方向両側に配置される。
下側ケース３は、幅方向において他方側に位置する壁１４の端部に一対の係止具２２を備える。一対の係止具２２は、それぞれ壁１４の端部の長手方向両側に配置され、上側ケース２の係止部２１に係止される
エアクリーナ１は、上側ケース２を回転連結具２０で回転させて下側ケース３に対して閉じた状態とし、係止具２２を係止部２１に係止することで上側ケース２を下側ケース３に固定する。
【００１３】
このエアクリーナ１の構造は、上側ケース２に取付孔２３を有する取っ手部２４が設けられている。
取っ手部２４は、回転連結部２０が連結される壁５の端部とは反対の他方側に位置する壁６の端部に設けられている。取っ手部２４は、壁６の端部の長手方向中央に配置され、上側ケース２を回転連結部２０で回転させる際に、作業者の手によって把持される。
取付孔２３には、ワイヤーハーネス１２を固定するためのクランプ部材２５が取り付けられる。ワイヤーハーネス１２は、上側ケース２の出口部１０に取り付けた電子部品１１を制御機器に接続する。
なお、上側ケース２には、長手方向において他方側に位置する壁８の端部に、取付孔２６を備えた取付部２７が設けられている。この取付部２７の取付孔２６には、ワイヤーハーネス１２を固定するためのクランプ部材２８が取り付けられる。
【００１４】
このように、エアクリーナ１の構造は、上側ケース２に取っ手部２４を設けたことにより、エアクリーナ１内のフィルタ４を交換する場合、作業者は取っ手部２４を手でつかんで上側ケース２を持ち上げ、エアクリーナ１の開閉作業を容易に行うことができる。このため、エアクリーナ１の開閉作業性を向上することができる。
また、このエアクリーナ１の構造は、取っ手部２４にワイヤーハーネス１２を固定するための取付孔２３を設けたことにより、エアクリーナ１にワイヤーハーネス１２をクランプ部材２５によって固定することができる。このため、エアクリーナ１周辺のワイヤーハーネス１２配索の最適化が可能になる。
【産業上の利用可能性】
【００１５】
この発明は、エアクリーナ内のフィルタを交換する場合、エアクリーナの開閉作業を容易に行うことができ、開閉作業性を向上することができるものであり、エアクリーナに限らず、ケーブル類が配索される開閉可能な箱体について利用することが可能である。
【符号の説明】
【００１６】
１  エアクリーナ
２  上側ケース
３  下側ケース
４  フィルタ
５  上側ケース２の幅方向において一方側に位置する壁
６  上側ケース２の幅方向において他方側に位置する壁
１０  出口部
１１  電子機器
１２  ワイヤーハーネス
１３  下側ケース３の幅方向において一方側に位置する壁
１４  下側ケース３の幅方向において他方側に位置する壁
１８  入口部
２０  回転連結部
２１  係止部
２２  係止具
２３  取付孔
２４  取っ手部
２５  クランプ部材
【図１】
0006455217.tif 000002
【図２】
0006455217.tif 000003
【図３】
0006455217.tif 000004